(57)【要約】      （修正有）【課題】各部品が簡略構造で、少ない部品点数で組立て性の向上、組立てコストの低減を実現できる非線形防振弾性体を用いた防振支持具を提供する。【解決手段】環状で断面略円形状の環状弾性体の外周部に複数個ずつの半球状の弾性膨出接触部５３を同心円形配置し、上側の各弾性膨出接触部５３の間の位置、及び下側の各弾性膨出接触部５３の間の位置から各々複数個の上側取り付け用突片５４ａ、下側取り付け用突片５４ｂを等間隔で突設し、各取り付け用突片５４ａ、５４ｂに各々連結ピン用抜孔５５ａを設けた非線形防振弾性体５１を、積層して複数個用いてなる防振支持具１であって、各非線形防振弾性体５１の間に配置するカバー体３１と、その下面に具備されて、各非線形防振弾性体５１の上側に設けられた計３個の連結ピン２と、カバー体３１の上面に具備されて、各非線形防振弾性体５１の下側に設けられた脱着可能に配置した連結ピン６と、を有するものである。【選択図】図９
2018025257.tif 000002
【特許請求の範囲】
【請求項１】
環状で断面略円形状の環状弾性体の外周部に上下対称配置に複数個ずつの半球状の弾性膨出接触部を同心円形配置に、かつ、所定の間隔をもって列設し、前記環状弾性体における上側の各弾性膨出接触部の間の位置、及び前記環状弾性体における下側の各弾性膨出接触部の間の位置から各々複数個の上側取り付け用突片、下側取り付け用突片を等間隔をもって、かつ、上下で位置をずらして中心方向に突設し、前記各上側取り付け用突片、各下側取り付け用突片に各々連結ピン用抜孔を中心に関して同心配置に設けた非線形防振弾性体を、積層して複数個用いてなる防振支持具であって、
前記積層した各非線形防振弾性体の間に配置するカバー体と、
前記カバー体の下面に具備されて、前記積層した各非線形防振弾性体の上側に設けられたピン用抜孔に挿通するように配置した連結ピンと、
前記カバー体の上面に具備されて、前記積層した各非線形防振弾性体の下側に設けられたピン用抜孔に挿通するように構成して配置した連結ピンと、
有することを特徴とする非線形防振弾性体を用いた防振支持具。
【請求項２】
環状で断面略円形状の環状弾性体の外周部に上下対称配置に複数個ずつの半球状の弾性膨出接触部を同心円形配置に、かつ、所定の間隔をもって列設し、前記環状弾性体における上側の各弾性膨出接触部の間の位置、及び前記環状弾性体における下側の各弾性膨出接触部の間の位置から各々複数個の上側取り付け用突片、下側取り付け用突片を等間隔をもって、かつ、上下で位置をずらして中心方向に突設し、前記各上側取り付け用突片、各下側取り付け用突片に各々連結ピン用抜孔を中心に関して同心配置に設けた非線形防振弾性体を、単一個又は積層して複数個用いてなる防振支持具であって、
前記単一個の非線形防振弾性体の上面又は積層した複数個の最上段に位置する非線形防振弾性体の上面に配置するカバー体と、
前記カバー体の下面に具備されて前記非線形防振弾性体の上側に設けられたピン用抜孔に挿通するように配置した連結ピンと、
を有することを特徴とする非線形防振弾性体を用いた防振支持具。
【請求項３】
環状で断面略円形状の環状弾性体の外周部に上下対称配置に複数個ずつの半球状の弾性膨出接触部を同心円形配置に、かつ、所定の間隔をもって列設し、前記環状弾性体における上側の各弾性膨出接触部の間の位置、及び前記環状弾性体における下側の各弾性膨出接触部の間の位置から各々複数個の上側取り付け用突片、下側取り付け用突片を等間隔をもって、かつ、上下で位置をずらして中心方向に突設し、前記各上側取り付け用突片、各下側取り付け用突片に各々連結ピン用抜孔を中心に関して同心配置に設けた非線形防振弾性体を、積層して複数個用いてなる防振支持具であって、
前記積層した各非線形防振弾性体の間に配置するカバー体と、
前記カバー体の下面に具備されて、前記積層した各非線形防振弾性体の上側に設けられたピン用抜孔に挿通するように配置した連結ピンと、
前記カバー体の上面に具備されて、前記積層した各非線形防振弾性体の下側に設けられたピン用抜孔に挿通するように構成して配置した連結ピンと、
前記積層した複数個の最上段に位置する非線形防振弾性体の上面に配置するカバー体と
前記カバー体の下面に具備されて前記非線形防振弾性体の上側に設けられたピン用抜孔に挿通するように配置した連結ピンと、
を有することを特徴とする非線形防振弾性体を用いた防振支持具。
【請求項４】
前記連結ピンの先端には、頭部を具備することで非線形防振弾性体と前記カバー体分離を防止する事を特徴とする請求項１乃至３のいずれか１項に記載の非線形防振弾性体を用いた防振支持具。
【請求項５】
前記カバー体は、前記非線形防振弾性体の下側に設けられたピン用抜孔に前記カバー体上面の各連結ピンを挿通させるための孔で、その挿入状況を確認できる覗き孔を具備することを特徴とする請求項１乃至３のいずれか１項に記載の非線形防振弾性体を用いた防振支持具。
【請求項６】
前記最上段カバー体は、当該カバー体と一体的に締着するようにした上プレートを具備することを特徴とする請求項１乃至３のいずれか１項に記載の非線形防振弾性体を用いた防振支持具。
【請求項７】
前記単一個の非線形防振弾性体又は積層した複数個の最下段に位置する非線形防振弾性体の下側に設けられたピン用抜孔に挿通するように配置した連結ピンを有する下プレートを具備することを特徴とする請求項１乃至３のいずれか１項に記載の非線形防振弾性体を用いた防振支持具。
【請求項８】
前記カバー体の下面に具備されて前記積層した各非線形防振弾性体の上側に設けられたピン用抜孔に挿通するように配置した連結ピンは、脱着可能に構成して配置されるものであることを特徴とする請求項１乃至３のいずれか１項に記載の非線形防振弾性体を用いた防振支持具。
【請求項９】
前記単一個の非線形防振弾性体又は積層した複数個の最下段に位置する非線形防振弾性体の下側に設けられたピン用抜孔に挿通するように配置した連結ピンを有する下プレートの当該連結ピンは、脱着可能に構成して配置されるものであることを特徴とする請求項７記載の非線形防振弾体を用いた防振支持具。
【発明の詳細な説明】
【技術分野】
【０００１】
本発明は、非線形防振弾性体（製品名「ボールダンパー」；本出願人の登録商標）を用いた防振支持具に関し、詳しくは、簡略構造で、かつ、最小限の部品点数でもって組み立て性の向上、組み立てコストの低減を実現し得る非線形防振弾性体を用いた防振支持具に関するものである。
【背景技術】
【０００２】
従来においては、例えば、各種の機械類、光学機器類、精密機器類等々の防振用として図４、図５に示す非線形防振弾性体（以下「ボールダンパー」という）を用いた防振支持具が知られている。
【０００３】
従来におけるこの種のボールダンパー５１及び当該ボールダンパー５１を用いた防振支持具１０１について図４、図５、図１５乃至図１８を参照して説明する。
【０００４】
従来のボールダンパー５１及び当該ボールダンパー５１を用いた防振支持具１０１は、図４に外観形態を示し、図５に断面を示すようなボールダンパー５１を複数個、例えば３個用いて３連立体構造に積み重ねる構成としたものである。
【０００５】
すなわち、この場合、１段目（最下段）のボールダンパー５１の下面に金属製の下プレート１１１を取り付け、１段目のボールダンパー５１と２段目のボールダンパー５１との間に金属製の中カバー１２１を取り付け、これと同様に、２段目のボールダンパー５１と３段目（最上段）のボールダンパー５１との間に金属製の中カバー１２１を取り付け、３段目のボールダンパー５１の上に金属製の上カバー１３１、及び座金１４２付きナット１４３を一体化した金属製の上プレート１４１を取り付けることにより構成している。
【０００６】
そして、前記下プレート１１１を図示しないが床面上に設置し、前記上プレート１４１から上方に突出するナット１４３にボルト１４４を螺合し、更に図示しない付属部品を用いて前記防振支持具１０１を床面と例えば機械類等の脚部との間に介在させることで当該機械類等の防振を行うように構成している。
【０００７】
前記ボールダンパー５１は、図４、図５に示すように、円環状で断面略円形状の環状弾性体５２の外周部に上下対称配置に６個ずつの半球状の弾性膨出接触部５３を同心円形配置に、かつ、６０度間隔をもって列設し、前記環状弾性体５２における上側の各弾性膨出接触部５３の間の位置、及び前記環状弾性体５２における下側の各弾性膨出接触部５３の間の位置から各々３個ずつの上側取り付け用突片５４ａ、下側取り付け用突片５４ｂを１２０度間隔をもって、かつ、上下で６０度ずつ位置をずらして中心方向に突設し、前記各上側取り付け用突片５４ａ、各下側取り付け用突片５４ｂに各々合計３個ずつの連結ピン用抜孔５５ａを中心に関して同心配置に設けることにより構成している。
【０００８】
前記各弾性膨出接触部５３の球状面には、同心配置に円形の凹凸部５３ａを形成している。
【０００９】
次に、前記下プレート１１１、中カバー１２１、前記上カバー１３１、座金１４２付きナット１４３を一体化した上プレート１４１の具体的構造例について図１５乃至図１８を参照して説明する。
【００１０】
前記下プレート１１１は、図１６に示すように、円板状としたプレート基板１１２を具備し、このプレート基板１１２の上面に、最下段のボールダンパー５１における下側取り付け用突片５４ｂの各連結ピン用抜孔５５ａに対応して中心に関して１２０度間隔配置で、かつ、同心配置で３個のストレート連結ピン１１３を溶接等により上方に平行配置で突出するように取り付け、また、前記プレート基板１１２の中心部には上方に突出する円筒状ボス部１１４を一体的に設けることにより構成している。
【００１１】
前記中カバー１２１は、図１７に示すように、円板状のカバー基板１２２と、このカバー基板１２２の外周部全体にわたって下向きに突出する円形周壁カバー片１２２ａとを一体形成し、中心部に中心孔１２４を設け、全体として下向きの円形皿状を呈する中カバー本体１２３を具備している。
【００１２】
そして、前記カバー基板１２２の上面に、上側のボールダンパー５１における下側取り付け用突片５４ｂの各連結ピン用抜孔５５ａに対応して、中心に関して１２０度間隔配置で、かつ、同心配置で３個のストレート連結ピン１２３ａを溶接等により上方に平行配置で突出するとともに、前記カバー基板１２２の下面に、下側のボールダンパー５１における上側取り付け用突片５４ａの各連結ピン用抜孔５５ａに対応して中心に関して１２０度間隔配置で、かつ、同心配置で３個のストレート連結ピン１２３ｂを溶接等により下方に平行配置で突出することにより構成している。
【００１３】
前記上カバー１３１及び前記座金１４２付きナット１４３を一体化した上プレート１４１は、図１８に示すように構成している。
【００１４】
すなわち、前記上カバー１３１は、図１８に示すように、円板状のカバー基板１３２と、このカバー基板１３２の外周部全体にわたって円形皿状を呈する上カバー本体１３３を具備している。
【００１５】
前記カバー基板１３２の中心部には、中心孔１３４を設けている。
【００１６】
そして、前記カバー基板１３２の下面に、下側のボールダンパー５１における上側取り付け用突片５４ａの各連結ピン用抜孔５５ａに対応して、中心に関して１２０度間隔配置で、かつ、同心配置で３個のストレート連結ピン１３５を溶接等により下方に平行配置で突出する構成としている。
【００１７】
また、前記上プレート１４１は、前記上カバー１３１のカバー基板１３２よりも小径の円板状のプレート基板１４２を具備し、その中心部に中心孔１４２ａを設けている。
【００１８】
このプレート基板１４２を前記上カバー１３１のカバー基板１３２の上面に同心配置の状態で例えばスポット溶接等の手段により密接状態で添設している。
【００１９】
図中においてスポット溶接部分は○印で示す。
【００２０】
更に、図１８に示す座金１４５付きナット１４３は、前記上プレート１４１の中心部に、前記中心孔１３４、中心孔１４２ａと同心配置となる状態でスポット溶接等の手段により密接状態で添設している。
【００２１】
そして、前記上カバー１３１の下側から、ボルト１４４を前記中心孔１３４、中心孔１４２ａを貫き、前記ナット１４３に螺合した状態で上方に突出させる構成としている。なお、図１８においては、ボルト１４４の一部のみを示す。
【００２２】
しかし、上述した従来における例えば３個のボールダンパー５１を用いた防振装置１０１を組み立てるための各部品群の場合、前記下プレート１１１、中カバー１２１、前記上カバー１３１は、前記各ストレート連結ピン１１３、ストレート連結ピン１２３ａ、１２３ｂ、ストレート連結ピン１３３を、各々溶接等の手段でプレート基板１１２、カバー基板１２２、カバー基板１３２に固着しなければならないとともに、上プレート１４１の上カバー１３１への固着や、座金１４２付きナット１４３の上プレート１４１への固着も溶接処理が必要になり、組み立てに必要な部品点数が多く、各部品自体の作製の煩雑化、構造の複雑化を招くという問題があった。
【００２３】
また、上述した従来における例えば３個のボールダンパー５１を用いた防振支持具１０１を組み立てるための各部品群の場合、前記下プレート１１１、中カバー１２１、前記上カバー１３１は、各ボールダンパー５１に設けた各連結ピン用抜孔５５ａに対して、前記各ストレート連結ピン１１３、ストレート連結ピン１２３ａ、１２３ｂ、ストレート連結ピン１３３を貫通させ、これらの先端部に各々図示しない取り付け用のストッパーを嵌着することで３個のボールダンパー５１を一体的に組み立てるものであり、組み立て工程が極めて煩雑である。
【００２４】
特許文献１には、上述したボールダンパー５１と同様な構造のボールダンパーを３連立体構造とし、上述した下プレート１１１、中カバー１２１、上カバー１３１と同様な各部品を用い、更に、ストレート連結ピン、ストッパーを使用して一体的に構成したボールダンパー５１である防振支持具１０１が開示されている。
【００２５】
しかし、この特許文献１のボールダンパー５１を用いた防振支持具１０１の場合においても、上述した従来技術と同様な問題を包含している。
【先行技術文献】
【特許文献】
【００２６】
【特許文献１】登録実用新案第３０２０９２７号公報
【発明の概要】
【発明が解決しようとする課題】
【００２７】
本発明は、上述した従来技術及び特許文献１の技術を踏まえ、これらに改良を加え、各部品が簡略構造で、かつ、少ない部品点数でもって組み立て性の向上、組み立てコストの低減を実現できるボールダンパー５１を用いた防振支持具１を提供するものである。
【課題を解決するための手段】
【００２８】
本発明のボールダンパー５１を用いた防振支持具１は、環状で断面略円形状の環状弾性体の外周部に上下対称配置に複数個ずつの半球状の弾性膨出接触部を同心円形配置に、かつ、所定の間隔をもって列設し、前記環状弾性体における上側の各弾性膨出接触部の間の位置、及び前記環状弾性体における下側の各弾性膨出接触部の間の位置から各々複数個の上側取り付け用突片、下側取り付け用突片を等間隔をもって、かつ、上下で位置をずらして中心方向に突設し、前記各上側取り付け用突片、各下側取り付け用突片に各々連結ピン用抜孔５５ａを中心に関して同心配置に設けて構成したボールダンパー５１を、積層して複数個用いてなる防振支持具１であって、前記積層した各ボールダンパー５１の間に配置するカバー体３１と、前記カバー体３１の下面に具備されて、前記積層した各ボールダンパー５１の上側取り付け用突片５４ａに設けられた合計３個の連結ピン用抜孔５５ａに挿通するように配置した３本の連結ピン２と、前記カバー体３１の上面に具備されて、前記積層した各ボールダンパー５１の下側取り付け用突片５４ｂに設けられた合計３個の連結ピン用抜孔５５ａに挿通するように脱着可能に構成して配置した３本の積層用連結ピン６と、を有する構成としたことを主要な特徴とする。
【発明の効果】
【００２９】
請求項１乃至３記載の発明によれば、単一個のボールダンパー５１を使用して組み立てる場合は勿論、特に、ボールダンパー５１を積層状として２個以上の複数個用いてなる防振支持具１を積層し組み立てる場合、各構成部品が従来例に比べて簡略構造で、かつ、少ない部品点数でもって簡略容易にボールダンパー５１を単一個又は積層状とした複数個として用いてなる防振支持具１を組み立てることができ、組み立て性の向上、組み立てコストの低減を実現することが可能なボールダンパー５１を用いた防振支持具１を実現し提供することができる。
【００３０】
請求項４記載の発明によれば、請求項１乃至３記載の発明の効果に加えて、各カバー体３１と下プレート１１に装着した連結ピン２及び積層に使用する積層用連結ピン６の先端に頭部を具備するように構成したので、ボールダンパー５１の積層組み立てを一層簡単にできる防振支持具を実現し提供することができる。
【００３１】
請求項５記載の発明によれば、請求項１乃至３記載の発明の効果に加えて、前記カバー体３１は、前記ボールダンパー５１の下側取り付け用突片５４ｂに設けられた合計３個の連結ピン用抜孔５５ａに前記カバー体３１上面の３つの各積層用連結ピン６を挿通する際に使用し、その挿入状況を視認可能とした覗き孔を具備する構成としたので、ボールダンパー５１の積層組み立てを一層簡易迅速にできるボールダンパー５１を用いた防振支持具を実現し提供することができる。
【００３２】
請求項６記載の発明によれば、請求項１乃至３記載の発明の効果に加えて、前記カバー体３１の上面に連結結合される上プレート４１を具備する構成とすることによって、最上部のカバー体３１が補強され一層堅牢なり、また防振する機器類と固着できる防振支持具１を実現し提供することができる。
【００３３】
請求項７記載の発明によれば、請求項１乃至３記載の発明の効果に加えて、前記単一個のボールダンパー５１の下面又は積層した複数個の最下段に位置するボールダンパー５１の下面に、図２の下プレート１１を具備する構成とすることによって、防振支持具１の位置決めと基礎との固定ができる防振支持具１を実現し提供することができる。
【００３４】
請求項８記載の発明によれば、請求項１乃至３記載の発明の効果に加えて、前記カバー体３１の下面に具備されて前記積層した各ボールダンパー５１の上側取付用突片５４ａに設けられた合計３個の連結ピン用抜孔５５ａに挿通するように配置した３本の連結ピン２が、脱着可能に構成して配置されることから、当該連結ピン２を、夫々組み立てをする時に取付できるのでカバー体自体の収納に好都合なボールダンパー５１を用いた防振支持具１を実現し提供することができる。
【００３５】
請求項９記載の発明によれば、請求項７記載の発明の効果に加えて、前記単一個のボールダンパー５１又は積層した複数個の最下段に位置するボールダンパー５１の下側取り付け用突片５４ｂに設けられた合計３個の連結ピン用抜孔５５ａに挿通するように配置した３本の連結ピン２を有する図２の下プレート１１の当該連結ピン２が、脱着可能に構成して配置されることから、当該連結ピンを、夫々組み立てをする時に取付できるので下プレート自体の収納に好都合なボールダンパー５１を用いた防振支持具１を実現し提供することができる。
【図面の簡単な説明】
【００３６】
【図１】図１は本実施例に係るボールダンパー５１を用いた防振支持具１を構成するカバー体３１に連結ピン２を装着した平面図及び同平面図のＡ−Ｏ−Ａ線断面図である。
【図２】図２は本実施例に係るボールダンパー５１を用いた防振支持具１を構成する下プレート１１に連結ピン２を装着した平面図及び同平面図のＢ−Ｏ−Ｂ線断面図である。
【図３】図３は本実施例に係るボールダンパー５１を用いた防振支持具１を構成するカバー体３１に装着して使用されることのある上プレート４１を示す平面図及び同平面図
【図４】図４はボールダンパー５１の概略平面図である。のＣ−Ｃ線断面図である。
【図５】図５はボールダンパー５１の概略断面図である。
【図６】図６は本発明の実施例に係る図１のカバー体３１の連結ピン２を図４のボールダンパー５１の上側取り付け用突片５４ａの連結ピン用抜孔５５ａに挿入して組立た防振支持具１の仕掛品を示す概略断面図である。
【図７】図７は本発明の実施例に係る図１のカバー体３１と図２の下プレート１１のそれぞれの連結ピン２を図４のボールダンパー５１の各連結ピン用抜孔５５ａに挿入して組立た支持具１の仕掛品を示す概略断面図である。
【図８】図８は本発明の実施例に係る、図６の仕掛品に図３に上プレート４１を組みつけた単一体構造の防振支持具１を示す概略断面図である。
【図９】図９は本発明の実施例に係る図７の仕掛品に上プレート４１を組みつけた単一体構造の下プレート付き防振支持具１を示す概略断面図である。
【図１０】図１０は本発明の実施例に係る図８の単一体防振支持具１に連結用連結ピン６を用いて図６の仕掛品を連結した２連立体構造とした防振支持具１を示す概略断面図である。
【図１１】図１１は本発明の実施例に係る図８の単一体防振支持具１に連結用連結ピン６を用いて図７の仕掛品を連結した２連立体構造とした下プレート付き防振支持具１を示す概略断面図である。
【図１２】図１２は本発明の実施例に係る図１０の防振支持具１の下部に図６の仕掛品に連絡用連結ピン６を装着し連結した３連立体構造とした防振支持具１を示す概略断面図である。
【図１３】図１３は本発明の実施例に係る図１０の防振支持具１の下部に図７の仕掛品を連結用連結ピン６を装着し連結した下プレート付き３連立体構造とした防振支持具１を示す概略断面図である。
【図１４】図１４は本発明の実施例に係る図３の上プレート４１、３個の図６の仕掛品、図２の下プレート１１を連結用連結ピン６と皿ネジ３で組み立て工程の状態を示す概略断面図である。
【図１５】図１５は従来例のボールダンパー５１を用いた防振支持具１０１外観形態を示す概略正面図である。
【図１６】図１６は従来の防振支持具１０１を構成する下プレート１１１の面図及び同平面図のＸ−Ｏ−Ｘ線断面図である。
【図１７】図１７は従来の防振支持具１０１を構成する中カバー１２１の平面図及び同平面図のＹ−Ｏ−Ｙ線断面図である。
【図１８】図１８は従来の防振支持具１０１を構成する上カバー１３１、ナット付き上プレート１４１の平面図及び同平面図のＺ−Ｏ−Ｚ線断面図である。
【発明を実施するための形態】
【００３７】
本発明は、各部品が簡略構造で、かつ、少ない部品点数でもって組み立て性の向上、組み立てコストの低減を実現できるボールダンパー５１を用いた防振支持具を実現し提供するという目的を、環状で断面略円形状の環状弾性体の外周部に上下対称配置に複数個ずつの半球状の弾性膨出接触部を同心円形配置に、かつ、所定の間隔をもって列設し、前記環状弾性体における上側の各弾性膨出接触部の間の位置、及び前記環状弾性体における下側の各弾性膨出接触部の間の位置から各々複数個の上側取り付け用突片５４ａ、下側取り付け用突片５４ｂを等間隔をもって、かつ、上下で位置をずらして中心方向に突設し、前記各上側取り付け用突片５４ａ、各下側取り付け用突片５４ｂに各々連結ピン用抜孔を中心に関して同心配置に設けて構成したボールダンパー５１を、積層して複数個用いてなる防振支持具であって、前記積層した各ボールダンパー５１の間に配置する図１のカバー体と、前記カバー体３１の下面に具備されて、前記積層した各ボールダンパー５１の上側取り付け用突片５４ａに設けられた合計３個の連結ピン用抜孔５５ａに挿通するように配置した３本の連結ピン２と、前記図１のカバー体３１の上面に具備されて、前記積層した各ボールダンパー５１の下側取り付け用突片５４ｂに設けられた合計３個の連結ピン用抜孔５５ａに挿通するように脱着可能に構成して配置した各３本の連結ピン６と、を具備する構成により実現した。
【実施例】
【００３８】
以下、図面を参照して、本発明の実施例に係るボールダンパー５１を用いた防振支持具１について詳細に説明する。
【００３９】
なお、本実施例においては、既述した図４、図５に示す場合と同様なボールダンパー５１を使用するものとして以下の説明を行う。
【００４０】
すなわち、本実施例で用いるボールダンパー５１は、ゴム材等の弾性材からなるものであり、円環状で断面略円形状の環状弾性体５２の外周部に上下対称配置に６個ずつの半球状の弾性膨出接触部５３を同心円形配置に、かつ、６０度間隔をもって列設し、前記環状弾性体５２における上側の各弾性膨出接触部５３の間の位置、及び前記環状弾性体５２における下側の各弾性膨出接触部５３の間の位置から各々３個ずつの上側取り付け用突片５４ａ、下側取り付け用突片５４ｂを１２０度間隔をもって、かつ、上下で６０度ずつ位置をずらして中心方向に突設し、前記各上側取り付け用突片５４ａ、各下側取り付け用突片５４ｂに各々合計３個ずつの連結ピン用抜孔５５ａを中心に関して同心配置に設けことにより構成している。
そして、前記各弾性膨出接触部５３の球状面には、同心配置に円形の凹凸部５３ａを形成している。
【００４１】
本発明におけるボールダンパー５１を用いた防振支持具１は、前記ボールダンパー５１からなる防振支持具１を積層し組み立てる場合に優れているものであり、当該積層の数を限定するものではない。積層する事により固有振動数の低い非線形防振支持具１が製作できる。
【００４２】
すなわち、単一のボールダンパー５１を後記する各図１のカバー体３１、図２の下プレート１１、図３の上プレート４１の各部材と組み合わせて防振支持具１として使用でき、また、２以上複数のボールダンパー５１を後記する各図１のカバー体３１、図２の下プレート１１、図３の上プレート４１の各部材と組み合わせて複数のボールダンパー５１を積層して防振支持具１として使用することができる。
【００４３】
以下においては、図１３に示す実施例、すなわち、例えば３個のボールダンパー５１からなる防振支持具１を積層し組み立てた状態を示して説明する。
図１３に示す実施例は、例えば３個のボールダンパー５１を用いて、２個の夫々のボールダンパー５１の間に前記図１のカバー体３１を介在させて、図３の上プレート４１、図２の下プレート１１を用いてこれらを前記のように組み合わせて実現した防振支持具１の参考例を基にして説明する。図示例では、最上段に位置する図１のカバー体３１、図３の上プレート４１にボルト６１を上方に向けて嵌装配置している。
【００４４】
本実施例におけるボールダンパー５１を用いた防振支持具１、例えば３個のボールダンパー５１を用いて、これらを相互に積層して組み立ててなる防振支持具１は、図１３に示すように、１段目のボールダンパー５１と２段目のボールダンパー５１との間に用いられて当該各ボールダンパー５１を堅牢に組み立てて積層するための金属製の図１のカバー体３１を具備している。
【００４５】
この図１のカバー体３１の内面（下面）には、３等分された各位置に連結ピン頭部４を下に向けた各連結ピン２を配置している。夫々の連結ピン２は、図１のカバー体３１の内面の夫々の位置に固着されているか、又は脱着自在に装着されている。
【００４６】
図示する実施例のように例えば３個のボールダンパー５１を用いてこれらを相互に積層し組み立ててなる防振支持具１においては、図１３、１４に示すように、各ボールダンパー５１の間に位置して用いられる図１のカバー体３１の上面に、前記３等分されて配置した各連結ピン２とは異なる位置に３等分された各位置に積層用連結ピン頭部５を上に向けた各積層用連結ピン６を脱着自在に配置している。
【００４７】
各連結ピン２の長さは、各ボールダンパー５１の組み立ての際に、これらがボールダンパー５１の連結ピン用抜孔５５ａに挿通されて用いられることから、当該連結ピン用抜孔５５ａの長さに夫々匹敵するものであれば良い。
【００４８】
前記カバー体３１には、ボールダンパー５１の下面から各積層用連結ピン６をボールダンパー５１の下側取り付け用突片５４ｂの連結ピン用抜孔５５ａに挿通する際に使用し、その挿入状況を確認するための１２０度間隔配置の３個の円形の覗き孔３４を設けている。
【００４９】
前記図１のカバー体３１の前記各覗き孔３４の中心位置には、最上段に位置するボールダンパー５１の上に位置する図１のカバー体３１を、図３の上プレート４１を介在させて、その中心部を貫くようにしてボルト６１を上方に向けて嵌装配置できるようにした中心孔３３を設けている。
なお、図示するように、図３の上プレート４１に設けたタップ付の筒状ボス部４３を介在させてボルト６１を上方に向けて嵌装配置するか否かは自在であり、図３の上プレート４１を介在させること、ボルト６１を嵌装配置することは、本実施例では必須のものではない。
図中の符号６２はボルト６１を上方に向けて嵌装配置する際に用いるワッシャーであり、符号６３はナットである。
【００５０】
前記図３の上プレート４１は、最上段に位置する図１のカバー体３１の上面において、皿ネジ３でもって、上プレート４１に３箇所設けた各皿孔４２、図１のカバー体３１に３箇所設けた各連結ピン用孔３２ａに締着されて固定される。
【００５１】
図示する実施例の３個のボールダンパー５１を用いてこれらを相互に積層し組み立ててなる防振支持具１における最上段に位置するカバー体３１には、各ボールダンパー５１の間に位置して用いられる前記図１のカバー体３１の上面に設けられるような各積層用連結ピン６は不要である。
【００５２】
また、図示する実施例の３個のボールダンパー５１を用いてこれらを相互に積層し組み立ててなる防振支持具１においては、１段目（最下段）のボールダンパー５１の下面に金属製の図２の下プレート１１を具備している。
但し、当該図２の下プレート１１は、本実施例では必須構成のものではなく、図２の下プレート１１が無くても、例えば３個のボールダンパー５１を用いてこれらを相互に積層し組み立ててなる防振支持具１を実施できる。
【００５３】
なお、図２の下プレート１１には、ボールダンパー５１の各連結ピン用抜孔５５ａに挿通する３本の連結ピン２（各連結ピン頭部４）と、基礎とボルトで締結できるタップ付の筒状ボス部１３とを有している。
【００５４】
以上説明した図１のカバー体３１の全体形状は、図示例は、周囲を浅く垂下した浅い傘或いは浅いお椀状の形態としているが、カバー体３１の形状は図示例に限定されるものではない。
【００５５】
前記図１のカバー体３１の下面の各連結ピン２、図２の下プレート１１の上面の連結ピン２は、いずれも、前記図１のカバー体３１の上面で用いた各積層用連結ピン６と同様に、脱着可能な構成として各部分に具備するようにしても良い。
そして、このような構成とする場合は、その脱着構成は、例えば、各連結ピンが夫々の取り付けられる位置にネジ溝を設けておき、各連結ピンの連結ピン頭部とは逆の端部にオスネジを形成しておけば良い。
【００５６】
本実施例の例えば３個のボールダンパー５１を用いた防振支持具１において、図１４で示すような例えば３段立体構造のボールダンパー５１を積層し組み立てる工程について以下説明する。
図２に示す下プレート１１の連結ピン２に、図６の仕掛品に示すボールダンパー５１の下側取り付け用突片５４ｂに設けた各連結ピン用抜孔５５ａを挿通させて、図７の仕掛品
にすることで１段目（最下段）ができ、次に、カバー体３１上面の連結ピン用孔３２ａに積層用連結ピン６を装着し、その積層用連結ピン６に、図６に示す別のボールダンパー５１の下側取り付け用突片５４ｂに設けた各連結ピン用抜孔５５ａを挿通させて２段目（中間段）ができ、更にそのカバー体３１の上面の連結ピン用孔３２ａに積層用連結ピン６を装着して２段目と同じことを行えば、３段目（最上段）ができる、その最上段のカバー３１の上面において、皿ネジ３でもって、図３の上プレート４１に設けた皿孔４２、カバー体３１に設けた連結ピン孔３２ａに図３の上プレートを締着されて固定すれば、各段のボールダンパー５１は相互に堅牢に組立てられて積層されて一体化した３段積層状態の防振支持具１が完成する。また、図示例のように最高段に位置する上プレート４１にボルト６１を上方に向けて嵌装配置できるようになっている。
【００５７】
連結ピン２の連結ピン頭部４，積層用連結ピン６の積層用連結ピン頭部５が、ゴム材等の弾性材からなるボールダンパー５１の弾性材伸びを利用して各連結ピン５５ａを脱した位置に表出した際には、堅牢に圧入固着されることになるとともに、これら複数の各ボールダンパー５１の積層組み立てにはドライバー等ネジ用工具は一切不要である。
前記連結ピン各頭部４、積層用連結ピン頭部５は、ボールダンパー５１と図１のカバー体３１、図２の下プレート１１の分離を防止する作用を発揮する。
【００５８】
図１３に示すような例えば３個のボールダンパー５１を用いた防振支持具１をはじめとして２以上複数のボールダンパー５１を用いてこれらを積層し組み立てる場合において、当該複数個のボールダンパー５１を積層し組み立てる工程については、上述した手順に限定することなく、自在な組み立て手順で積層し組み立てを行うことができることは勿論である。
【００５９】
なお、２以上複数のボールダンパー５１を用いてこれらを積層し組み立てて防振支持具１を実現することができ、上述した積層し組み立て手順を繰り返すことにより多数段のボールダンパー５１を用いて防振支持具１を得ることができる。
【００６０】
図１は、ボールダンパー５１を用いて防振支持具１を形成するためのカバー体３１に連結ピン２を装着した説明図である。
図２は、最下段に位置するボールダンパー５１の下面に配置して使用する下プレート１１に連結ピン２を装着した説明図である。
図３は、最上段に位置するボールダンパー５１の上面に配置して使用するカバー体３１の上面に配置して使用される上プレート４１の説明図である。
【００６１】
図６乃至図１３は、本実施例に係る防振支持具１における各構成部、すなわち、ボールダンパー５１、図１のカバー体３１、図３の上プレート４１、図２の下プレート１１を夫々自在に組み合わせた参考例を示すものである。
【００６２】
図６は、単一のボールダンパー５１の連結ピン用抜孔５５ａに図１のカバー体３１の連結ピン２に挿入固着して組み合わせて実現した防振支持具１の仕掛品の参考例である。
【００６３】
図７は、単一のボールダンパー５１の連結ピン用抜孔５５ａに図１のカバー体３１と図２の下プレート１１のそれぞれ連結ピン２に挿入固着して組み合わせて実現した防振支持具１の仕掛品の参考例である。
【００６４】
図８は、図６の仕掛品に図３の上プレート４１を用いて、これらを組み合わせて実現した単一体構造の防振支持具１の参考例である。この場合、前記図３の上プレート４１は、最高段のカバー体３１の上面において、皿ネジ３でもって、図３の上プレート４１に３箇所設けた各皿孔４２、カバー体３１に３箇所設けたネジ溝の各連結ピン用孔３２ａに締着されて固定されている。そして、図示例では、図３の上プレート４１にボルト６１を上方に向けて嵌装配置している。この場合は、当該ボルト６１を上方に向けて嵌装配置していることにより防振支持具１以外の部材に連結するのに好都合である。
【００６５】
図９は、図７の仕掛品に図３の上プレート４１を用いて、これらを組み合わせて実現した単一体構造の防振支持具１の参考例である。図３の上プレート４１の装着方法は上記と同じである。
【００６６】
図１０は、図６の仕掛品（１段目）の上面に積層用連結ピン６を装着しその上に図６の仕掛品（２段目）を設置しボールダンパー５１の下側取り付け用突片５４ｂに設けられた連結ピン用抜孔５５ａに積層用連結ピン６を挿入し２段目を組み立てる、さらに最高部カバー体３１に上プレート４１を皿ネジ３で固着して、これらを組み合わせて実現した２連体構造の防振支持具１の参考例である。
【００６７】
図１１は、図１０の１段目の図６の仕掛品を図７の仕掛品に取り替え図１０と同様に、これらを組み合わせて実現した２連体構造の下プレート付き防振支持具１の参考例である。
【００６８】
図１２は、図１０の２連体構造の防振支持具１の下部にさらに図６の仕掛品（３段目）に積層用ピン６を装着しボールダンパーの下側取り付け用突片５４ｂに設けられた連結ピン用抜孔５５ａにその連結用ピン６を挿入してこれらを組み合わせて実現した３連体構造の防振支持具１の参考例である。図示例では、最上段に位置するカバー体３１、上プレート４１にボルト６１を上方に向けて嵌装配置している。
【００６９】
図１３は、図１２の３段目の図６の仕掛品を図７の仕掛品に取り替え図１２と同様に、これらを組み合わせて実現した３連体構造の下プレート付き防振支持具１の参考例である。図示例では、最上段に位置するカバー体３１、上プレート４１にボルト６１を上方に向けて嵌装配置している。
【００７０】
本実施例の防振支持具１によれば、以上説明した防振支持具１における各構成部、すなわち、ボールダンパー５１、図１のカバー体３１、図３の上プレート４１、図２の下プレート１１のみでもって夫々自在に組み合わせた各種の防振支持具１を実現でき、各部品が簡略構造で、かつ、少ない部品点数でもって組み立て性の向上、簡易迅速に組み立てでき、組み立て作業コストの低減を実現できるボールダンパー５１を用いた防振支持具を実現できる。
したがって、本実施例の防振支持具１によれば、各部品が簡略構造で、かつ、少ない部品点数でもって組み立て性の向上を図ることができることから、各組み立てミスを撲滅でき、在庫管理、規格品の省力化等も図ることができる。
【００７１】
本実施例の防振支持具１によれば、例えば、図示しないが床面上にこれを設置し、前記図３の上プレート４１から上方に突出するボルト６１、ナット６３等を用い、更に図示しない付属部品を用い、前記防振支持具１を床面と例えば機械類等の脚部との間に介在させることで当該機械類等の防振機能を発揮させることができる。
【産業上の利用可能性】
【００７２】
本発明の防振装支持具は、各種機械類、光学機器類、精密機器類等々の防振用としての用途を有するボールダンパー５１を用いた防振支持具１として広範に応用可能である。
【符号の説明】
【００７３】
１    防振支持具
２    連結ピン
３    皿ネジ
４    連結ピン頭部
５    積層用連結ピン頭部
６    積層用連結ピン
１１    下プレート
１２    連結ピン用孔
１３    筒状ボス部（タップ付）
３１    カバー体
３２    連結ピン用孔
３２ａ  連結ピン用孔
３３    中心孔
３４    覗き孔
４１    上プレート
４２    皿孔
４３    筒状ボス部（タップ付）
５１    ボールダンパー（非線形防振弾性体）
５２    環状弾性体
５３    弾性膨出接触部
５３ａ  円形凹凸部
５４ａ  上側取り付け用突片
５４ｂ  下側取り付け用突片
５５ａ  連結ピン用抜孔
６１    ボルト
６２    ワッシャー
６３    ナット
【図１】
2018025257.tif 000003
【図２】
2018025257.tif 000004
【図３】
2018025257.tif 000005
【図４】
2018025257.tif 000006
【図５】
2018025257.tif 000007
【図６】
2018025257.tif 000008
【図７】
2018025257.tif 000009
【図８】
2018025257.tif 000010
【図９】
2018025257.tif 000011
【図１０】
2018025257.tif 000012
【図１１】
2018025257.tif 000013
【図１２】
2018025257.tif 000014
【図１３】
2018025257.tif 000015
【図１４】
2018025257.tif 000016
【図１５】
2018025257.tif 000017
【図１６】
2018025257.tif 000018
【図１７】
2018025257.tif 000019
【図１８】
2018025257.tif 000020
【手続補正書】
【提出日】平成28年9月13日(2016.9.13)
【手続補正１】
【補正対象書類名】明細書
【補正対象項目名】００３２
【補正方法】変更
【補正の内容】
【００３２】
請求項６記載の発明によれば、請求項２又は３記載の発明の効果に加えて、前記積層した複数個の最上段に位置する非線形防振弾性体の上面に配置するカバー体３１の上面に連結結合される上プレート４１を具備する構成とすることによって、最上部のカバー体３１が補強され一層堅牢なり、また防振する機器類と固着できる防振支持具１を実現し提供することができる。
【手続補正２】
【補正対象書類名】特許請求の範囲
【補正対象項目名】請求項６
【補正方法】変更
【補正の内容】
【請求項６】
前記積層した複数個の最上段に位置する非線形防振弾性体の上面に配置するカバー体は、当該カバー体と一体的に締着するようにした上プレートを具備することを特徴とする請求項２又は３記載の非線形防振弾性体を用いた防振支持具。